(57)【要約】      （修正有）【課題】圧縮空気を貯める容量を増やし、小形ボンベを不要とする水難用救命具を提供する。【解決手段】気室２を有する本体１に圧縮空気注入バルブ３を設けるとともに吐出流路３１を形成し、本体１の外側に折り畳まれた浮き袋３６の口元を吐出口３３に取着する。本体１の外側に浮き袋３６を収納するカバー４２を開閉自在に設ける。吐出流路３１を閉塞するように密閉栓３８を設け、この密閉栓３８は外力で破断可能とする。浮き袋３６に開けた膜孔の周縁に紐通し部材５７を取着し、この紐通し部材５７を通して密閉栓３８とカバー４２に着脱自在に取り付けた取っ手５０の間を紐５４で結ぶ。密閉栓３８と紐通し部材５７の間には、封止部材６１を装着し、取っ手５０を引っ張り、密閉栓３８を破断したあと、封止部材６１が紐通し部材５７の紐通し孔を封止し、気密性を確保できるようにする。【選択図】図４
0003164356.tif 000002
【実用新案登録請求の範囲】
【請求項１】
内部に気室を有する中空の本体と、
本体を人体に着脱自在に止める止め具と、
本体に設けられて外部から気室に圧縮ガスを注入する圧縮ガス注入弁と、
本体に設けられて気室の圧縮ガスを本体外部に吐出する吐出流路と、
本体の外側に折り畳まれて配置されるとともに、口元が吐出流路の吐出口と接続された浮き袋と、
本体に対し着脱自在または開閉自在に設けられて内部に浮き袋を収納するカバーと、
吐出流路を閉塞するとともに、外力により閉塞を解除可能に形成された密閉栓と、
カバーまたは本体に備えられてユーザが外力を加える操作手段と、
操作手段に加えられた外力を密閉栓に伝達し閉塞を解除させる伝達手段と、
を備えたことを特徴とする水難用救命具。
【請求項２】
密閉栓は外力による破壊または移動により閉塞を解除可能としたこと、
を特徴とする請求項１記載の水難用救命具。
【請求項３】
伝達手段はカバーに開けられた開口を通して備えられていること、
を特徴とする請求項１記載の水難用救命具。
【請求項４】
請求項１記載の水難用救命具におけるカバーを、
本体に固定されて浮き袋の一部を覆う第１のカバーと、
本体に対し着脱自在または開閉自在に設けられて内部に浮き袋の残りの部分を収納する第２のカバーとに置換え、
伝達手段は第１のカバーに開けられた開口を通して備えられていること、
を特徴とする水難用救命具。
【請求項５】
操作手段は引っ張り可能に形成し、
伝達手段は、
内部に線状部材通し孔が形成されるとともに、浮き袋に開けられた膜孔の周縁に取着された線状部材通し部材と、
一端側が浮き袋の中の密閉栓に固定されるとともに、他端側が線状部材通し部材を通して浮き袋の外の操作手段に固定された線状部材と、
密閉栓と線状部材通し部材の間の線状部材に装着された封止部材と、
を含み、
操作手段の引っ張りで線状部材が移動して密閉栓による閉塞が解除された後、封止部材が線状部材通し部材の線状部材通し孔を封止するように形成したこと、
を特徴とする請求項１または２または３または４記載の水難用救命具。
【請求項６】
操作手段は引っ張り可能に形成し、
伝達手段は、
内部に線状部材通し孔が形成されるとともに、浮き袋に開けた膜孔の周縁に取着された気密保持性を有する線状部材通し部材と、
一端側が密閉栓に固定されるとともに、他端側が線状部材通し部材を通して浮き袋の外の操作手段に固定された線状部材と、
を含むこと、
を特徴とする請求項１または２または３または４記載の水難用救命具。
【請求項７】
操作手段は引っ張り可能に形成し、
伝達手段は、
一端側が密閉栓に固定されるとともに、他端側が浮き袋の膜に貫通状態で取着された取り付け部材の内側に固定された第１の連結部材と、
一端側が取り付け部材の外側に固定されるとともに、他端側が操作手段に固定された第２の連結部材と、
を含むこと、
を特徴とする請求項１または２または３または４記載の水難用救命具。
【請求項８】
操作手段は引っ張り可能に形成し、
伝達手段は、
一端側が密閉栓に固定されるとともに、他端側が浮き袋の膜の内側に固定された第１の連結部材と、
一端側が第１の連結部材の固定された膜の箇所の外側に固定されるとともに、他端側が操作手段に固定された第２の連結部材と、
を含むこと、
を特徴とする請求項１または２または３または４記載の水難用救命具。
【請求項９】
操作手段は引っ張り可能に形成し、
伝達手段は、
一端側が密閉栓に固定されるとともに、他端側が浮き袋の膜に貫通固定されたのち浮き袋の外側の操作手段に固定された連結部材としたこと、
を特徴とする請求項１または２または３または４記載の水難用救命具。
【請求項１０】
操作手段は引っ張り可能に形成し、
伝達手段は、
内部に線状部材通し孔が形成されるとともに、吐出流路と外部との間の壁に開けられた壁孔の周縁に取着された線状部材通し部材と、
一端側が浮き袋の中の密閉栓に固定されるとともに、他端側が線状部材通し部材を通して操作手段に固定された線状部材と、
密閉栓と線状部材通し部材の間の線状部材に装着された封止部材と、
を含み、
操作手の引っ張りで線状部材が移動して密閉栓による閉塞が解除された後、封止部材が線状部材通し部材の線状部材通し孔を封止するように形成したこと、
を特徴とする請求項１または２記載の水難用救命具。
【請求項１１】
操作手段は引っ張り可能に形成し、
伝達手段は、
内部に線状部材通し孔が形成されるとともに、吐出流路と外部との間の壁に開けた壁孔の周縁に取着された気密保持性を有する線状部材通し部材と、
一端側が密閉栓に固定されるとともに、他端側が線状部材通し部材を通して操作手段に固定された線状部材と、
を含むこと、
を特徴とする請求項１または２記載の水難用救命具。
【請求項１２】
操作手段は引っ張り可能に形成し、
伝達手段は、
吐出流路と外部との間の壁に形成された開口を密閉するように設けられた変形自在な密閉膜と、
一端側が密閉栓に固定されるとともに、他端側が密閉膜に貫通状態で取着された取り付け部材の内側に固定された第１の連結部材と、
一端側が取り付け部材の外側に固定されるとともに、他端側が操作手段に固定された第２の連結部材と、
を含むこと、
を特徴とする請求項１または２記載の水難用救命具。
【請求項１３】
操作手段は引っ張り可能に形成し、
伝達手段は、
吐出流路と外部との間の壁に形成された開口を密閉するように設けられた変形自在な密閉膜と、
一端側が密閉栓に固定されるとともに、他端側が密閉膜の内側に固定された第１の連結部材と、
一端側が第１の連結部材の固定された密閉膜の箇所の外側に固定されるとともに、他端側が操作手段に固定された第２の連結部材と、
を含むこと、
を特徴とする請求項１または２記載の水難用救命具。
【請求項１４】
操作手段は引っ張り可能に形成し、
伝達手段は、
吐出流路と外部との間の壁に形成された開口を密閉するように設けられた変形自在な密閉膜と、
一端側が密閉栓に固定されるとともに、他端側が密閉膜に貫通固定されたのち密閉膜の外の操作手段に固定された連結部材としたこと、
を特徴とする請求項１または２記載の水難用救命具。
【請求項１５】
内部に気室を有する中空の本体と、
本体を人体に着脱自在に止める止め具と、
本体に設けられて外部から気室に圧縮ガスを注入する圧縮ガス注入弁と、
本体に設けられて気室の圧縮ガスを本体外部に吐出する吐出流路と、
本体の外側に折り畳まれて配置されるとともに、口元が吐出流路の吐出口と接続された浮き袋と、
本体に対し着脱自在または開閉自在に設けられて内部に浮き袋を収納するカバーと、
吐出流路を閉塞するとともに、外力により閉塞を解除可能に形成された密閉栓と、
ユーザが外力を加える操作手段と、
操作手段に加えられた外力を密閉栓に伝達し閉塞を解除させる伝達手段と、
を備え、
操作手段と伝達手段を第１のカバーに設け、
操作手段はユーザが指又は手で押す押し部とし、
伝達手段は、
押し部から浮き袋の膜を介して密閉栓に向けて延長された棒部と、
カバーに設けられて棒部をスライド自在にガイドするガイド部と、
を含むこと、
を特徴とする水難用救命具。
【請求項１６】
請求項１５記載の水難用救命具におけるカバーを、
本体に固定されて浮き袋の一部を覆う第１のカバーと、
本体に対し着脱自在または開閉自在に設けられて内部に浮き袋の残りの部分を収納する第２のカバーとに置換え、
操作手段と伝達手段を第１のカバーに備えたこと、
を特徴とする水難用救命具。
【請求項１７】
内部に気室を有する中空の本体と、
本体を人体に着脱自在に止める止め具と、
本体に設けられて外部から気室に圧縮ガスを注入する圧縮ガス注入弁と、
本体に設けられて気室の圧縮ガスを本体外部に吐出する吐出流路と、
本体の外側に折り畳まれて配置されるとともに、口元が吐出流路の吐出口と接続された浮き袋と、
本体に対し着脱自在または開閉自在に設けられて内部に浮き袋を収納するカバーと、
吐出流路を閉塞するとともに、外力により閉塞を解除可能に形成された密閉栓と、
ユーザが外力を加える操作手段と、
操作手段に加えられた外力を密閉栓に伝達し閉塞を解除させる伝達手段と、
を備え、
操作手段と伝達手段を吐出流路と外部との間の壁に装備し、
操作手段はユーザが指又は手で押す押し部とし、
伝達手段は、
押し部から密閉栓に向けて延長された棒部と、
吐出流路と外部との間の壁に設けられて棒部をスライド自在にガイドするガイド部と、
吐出流路内に設けられて棒部を吐出流路から隔離する変形自在な密閉膜と、
を含むこと、
を特徴とする水難用救命具。
【請求項１８】
密閉栓は外力による破壊または移動により閉塞を解除可能としたこと、
を特徴とする請求項１６または１７または１８記載の水難用救命具。
【考案の詳細な説明】
【技術分野】
【０００１】
本考案は水難用救命具に係り、とくに圧縮空気などの高圧ガスを浮き袋に注入して膨張させ浮力を生じさせるようにした水難用救命具に関する。
【背景技術】
【０００２】
水泳、海水浴、釣りなどでは一般的に使用されている浮き輪、ライフジャケットの如き救命具は嵩張るため、水泳等の動きに邪魔であり、携行にも不便であった。この欠点を解決するため、従来、通常は浮き袋を収縮若しくは折り畳んで小型とし、使用時には小型ボンベから圧縮ガスを注入して膨張させるようにした携帯用救命具が提案されている。たとえば、特開平９−２４０５８４号公報に開示された携帯用救命浮袋では、腕バンドに浮袋収納ケースと圧縮ボンベ収納ケースを取り付け、浮袋収納ケース内に収縮させた浮袋を収納し、圧縮ボンベ収納ケース内にボンベ開放ボタンと開放補助ボタンを設けた圧縮ボンベを収納するとともに、圧縮ボンベ収納ケースの一部を浮袋収納ケースの浮袋内に開口させておく。使用時、開放補助ボタンを押しながらボンベ開放ボタンを押すと、圧縮ボンベの口が開き、圧縮空気が浮袋に流入して膨張させる。また、実開平５−５９９号公報に開示された携帯用救命具では、パッケージ内に小型ボンベを収納し、折り畳まれたチューブを接続しておく。使用時、小型ボンベの釦を押し、バブル開閉機構を開いてチューブに圧縮空気を充填させて膨出させ、パッケージから浮き輪状の救命具を露出させる。
【０００３】
しかしながら、これら従来の救命具は、圧縮ボンベ収納ケースやパッケージの中に小型ボンベを収納する二重構造のため、全体を小型にしようすると圧縮ガスを貯える容量が小さくなってしまうという問題があった。また、小型ボンベのサイズを小さくしなければならず、製造が難しくなる問題があった。
【先行技術文献】
【特許文献】
【０００４】
【特許文献１】特開平９−２４０５８４号公報
【特許文献２】実開平５−５９９号公報
【考案の概要】
【考案が解決しようとする課題】
【０００５】
本考案は上記した従来技術の問題に鑑み、圧縮ガスを貯える容量が小さくならず、小型ボンベも不要な水難用救命具を提供することを、その目的とする。
【課題を解決するための手段】
【０００６】
本考案の請求項１記載の水難用救命具では、内部に気室を有する中空の本体と、本体を人体に着脱自在に止める止め具と、本体に設けられて外部から気室に圧縮ガスを注入する圧縮ガス注入弁と、本体に設けられて気室の圧縮ガスを本体外部に吐出する吐出流路と、本体の外側に折り畳まれて配置されるとともに、口元が吐出流路の吐出口と接続された浮き袋と、本体に対し着脱自在または開閉自在に設けられて内部に浮き袋を収納するカバーと、吐出流路を閉塞するとともに、外力により閉塞を解除可能に形成された密閉栓と、カバーまたは本体に備えられてユーザが外力を加える操作手段と、操作手段に加えられた外力を密閉栓に伝達し閉塞を解除させる伝達手段と、を備えたことを特徴としている。
請求項２では、密閉栓は外力による破壊または移動により閉塞を解除可能としたこと、を特徴としている。
請求項３では、伝達手段はカバーに開けられた開口を通して備えられていること、を特徴としている。
請求項４では、請求項１記載の水難用救命具におけるカバーを、本体に固定されて浮き袋の一部を覆う第１のカバーと、本体に対し着脱自在または開閉自在に設けられて内部に浮き袋の残りの部分を収納する第２のカバーとに置換え、伝達手段は第１のカバーに開けられた開口を通して備えられていること、を特徴としている。
請求項５では、操作手段は引っ張り可能に形成し、伝達手段は、内部に線状部材通し孔が形成されるとともに、浮き袋に開けられた膜孔の周縁に取着された線状部材通し部材と、一端側が浮き袋の中の密閉栓に固定されるとともに、他端側が線状部材通し部材を通して浮き袋の外の操作手段に固定された線状部材と、密閉栓と線状部材通し部材の間の線状部材に装着された封止部材と、を含み、操作手段の引っ張りで線状部材が移動して密閉栓による閉塞が解除された後、封止部材が線状部材通し部材の線状部材通し孔を封止するように形成したこと、を特徴としている。
請求項６では、操作手段は引っ張り可能に形成し、伝達手段は、内部に線状部材通し孔が形成されるとともに、浮き袋に開けた膜孔の周縁に取着された気密保持性を有する線状部材通し部材と、一端側が密閉栓に固定されるとともに、他端側が線状部材通し部材を通して浮き袋の外の操作手段に固定された線状部材と、を含むこと、を特徴としている。
請求項７では、操作手段は引っ張り可能に形成し、伝達手段は、一端側が密閉栓に固定されるとともに、他端側が浮き袋の膜に貫通状態で取着された取り付け部材の内側に固定された第１の連結部材と、一端側が取り付け部材の外側に固定されるとともに、他端側が操作手段に固定された第２の連結部材と、を含むこと、を特徴としている。
請求項８では、操作手段は引っ張り可能に形成し、伝達手段は、一端側が密閉栓に固定されるとともに、他端側が浮き袋の膜の内側に固定された第１の連結部材と、一端側が第１の連結部材の固定された膜の箇所の外側に固定されるとともに、他端側が操作手段に固定された第２の連結部材と、を含むこと、を特徴としている。
請求項９では、操作手段は引っ張り可能に形成し、伝達手段は、一端側が密閉栓に固定されるとともに、他端側が浮き袋の膜に貫通固定されたのち浮き袋の外側に延長されて操作手段に固定された連結部材としたこと、を特徴としている。
請求項１０では、操作手段は引っ張り可能に形成し、伝達手段は、内部に線状部材通し孔が形成されるとともに、吐出流路と外部との間の壁に開けられた壁孔の周縁に取着された線状部材通し部材と、一端側が浮き袋の中の密閉栓に固定されるとともに、他端側が線状部材通し部材を通して操作手段に固定された線状部材と、密閉栓と線状部材通し部材の間の線状部材に装着された封止部材と、を含み、操作手の引っ張りで線状部材が移動して密閉栓による閉塞が解除された後、封止部材が線状部材通し部材の線状部材通し孔を封止するように形成したこと
、を特徴としている。
請求項１１では、操作手段は引っ張り可能に形成し、伝達手段は、内部に線状部材通し孔が形成されるとともに、吐出流路と外部との間の壁に開けた壁孔の周縁に取着された気密保持性を有する線状部材通し部材と、一端側が密閉栓に固定されるとともに、他端側が線状部材通し部材を通して操作手段に固定された線状部材と、を含むこと、を特徴としている。
請求項１２では、操作手段は引っ張り可能に形成し、伝達手段は、吐出流路と外部との間の壁に形成された開口を密閉するように設けられた変形自在な密閉膜と、一端側が密閉栓に固定されるとともに、他端側が密閉膜に貫通状態で取着された取り付け部材の内側に固定された第１の連結部材と、一端側が取り付け部材の外側に固定されるとともに、他端側が操作手段に固定された第２の連結部材と、を含むこと、を特徴としている。
請求項１３では、操作手段は引っ張り可能に形成し、伝達手段は、吐出流路と外部との間の壁に形成された開口を密閉するように設けられた変形自在な密閉膜と、一端側が密閉栓に固定されるとともに、他端側が密閉膜の内側に固定された第１の連結部材と、一端側が第１の連結部材の固定された密閉膜の箇所の外側に固定されるとともに、他端側が操作手段に固定された第２の連結部材と、を含むこと、を特徴としている。
請求項１４では、操作手段は引っ張り可能に形成し、伝達手段は、吐出流路と外部との間の壁に形成された開口を密閉するように設けられた変形自在な密閉膜と、一端側が密閉栓に固定されるとともに、他端側が密閉膜に貫通固定されたのち密閉膜の外の操作手段に固定された連結部材としたこと、を特徴としている。
請求項１５では、内部に気室を有する中空の本体と、本体を人体に着脱自在に止める止め具と、本体に設けられて外部から気室に圧縮ガスを注入する圧縮ガス注入弁と、本体に設けられて気室の圧縮ガスを本体外部に吐出する吐出流路と、本体の外側に折り畳まれて配置されるとともに、口元が吐出流路の吐出口と接続された浮き袋と、本体に対し着脱自在または開閉自在に設けられて内部に浮き袋を収納するカバーと、吐出流路を閉塞するとともに、外力により閉塞を解除可能に形成された密閉栓と、ユーザが外力を加える操作手段と、操作手段に加えられた外力を密閉栓に伝達し閉塞を解除させる伝達手段と、を備え、操作手段と伝達手段を第１のカバーに設け、操作手段はユーザが指又は手で押す押し部とし、伝達手段は、押し部から浮き袋の膜を介して密閉栓に向けて延長された棒部と、カバーに設けられて棒部をスライド自在にガイドするガイド部と、を含むこと、を特徴としている。
請求項１６では、請求項１５記載の水難用救命具におけるカバーを、本体に固定されて浮き袋の一部を覆う第１のカバーと、本体に対し着脱自在または開閉自在に設けられて内部に浮き袋の残りの部分を収納する第２のカバーとに置換え、操作手段と伝達手段を第１のカバーに備えたこと、を特徴としている。
請求項１７では、内部に気室を有する中空の本体と、本体を人体に着脱自在に止める止め具と、本体に設けられて外部から気室に圧縮ガスを注入する圧縮ガス注入弁と、本体に設けられて気室の圧縮ガスを本体外部に吐出する吐出流路と、本体の外側に折り畳まれて配置されるとともに、口元が吐出流路の吐出口と接続された浮き袋と、本体に対し着脱自在または開閉自在に設けられて内部に浮き袋を収納するカバーと、吐出流路を閉塞するとともに、外力により閉塞を解除可能に形成された密閉栓と、ユーザが外力を加える操作手段と、操作手段に加えられた外力を密閉栓に伝達し閉塞を解除させる伝達手段と、を備え、操作手段と伝達手段を吐出流路と外部との間の壁に装備し、操作手段はユーザが指又は手で押す押し部とし、伝達手段は、押し部から密閉栓に向けて延長された棒部と、吐出流路と外部との間の壁に設けられて棒部をスライド自在にガイドするガイド部と、吐出流路内に設けられて棒部を吐出流路から隔離する変形自在な密閉膜と、を含むこと、を特徴としている。
請求項１８では、密閉栓は外力による破壊または移動により閉塞を解除可能としたこと、を特徴としている。
【考案の効果】
【０００７】
本考案によれば、中空の本体に設けた吐出流路の吐出口に折り畳まれた浮き袋の口元を接続するとともに吐出流路を密閉栓で閉塞し、圧縮ガス注入バルブを通して圧縮ガスを本体に注入して貯蔵しておく。使用時、操作手段に引っ張りや押しなどの外力を加えると、伝達手段を介して密閉栓に伝わり、破壊や移動等をさせて吐出流路の閉塞を解除させ、圧縮ガスを浮き袋に流入させて急速に膨脹させるようにしたので、本体の中に直接圧縮ガスを貯蔵でき、従来の如く、ケースと小形ボンベの二重構造としなくて済み、圧縮ガスの貯蔵容量を大きくできる。また、製造が難しい小型ボンベを用いなくても、所望時に、ワンタッチで圧縮ガスを浮き袋に注入させることができる。
【図面の簡単な説明】
【０００８】
【図１】本考案の第１実施例に係る水難用救命具の平面図である（実施例１）。
【図２】図１の正面図である。
【図３】図１の底面図である。
【図４】図１のＩＶ−ＩＶ’線に沿った断面図である。
【図５】図１の圧縮空気注入バルブ周辺の部分断面図である。
【図６】圧縮空気注入バルブのステムの断面図である。
【図７】圧縮空気注入バルブのコアの断面図である。
【図８】図１の圧縮空気注入バルブの組み立て手順を示す斜視図である。
【図９】図４の密閉栓の断面図である。
【図１０】図４の密閉栓の平面図である。
【図１１】図１の取っ手係止部の一部省略した正面図である。
【図１２】図１の取っ手係止部の作用説明図である。
【図１３】図４の紐通し部材と封止部材周辺の部分拡大断面図である。
【図１４】図３のバックルの構成を示す斜視図である。
【図１５】図３のメス側バックル部材の斜視組み立て図である。
【図１６】図４の封止部材の作用説明図である。
【図１７】図１の水難用救命具の作用説明図である。
【図１８】図４の紐通し部材と封止部材の変形例を示す部分拡大断面図である。
【図１９】図１９の作用説明図である。
【図２０】図４の紐通し部材と封止部材の他の変形例を示す部分拡大断面図である。
【図２１】図２０の作用説明図である。
【図２２】図４の紐通し部材の他の変形例を示す部分拡大断面図である。
【図２３】図４の紐通し部材の他の変形例を示す部分拡大断面図である。
【図２４】図４の密閉栓の変形例を示す部分拡大断面図である。
【図２５】図２４の作用説明図である。
【図２６】本考案の第２実施例に係る水難用救命具の平面図である（実施例２）。
【図２７】図２６のＸＸＶＩＩ−ＸＸＶＩＩ’線に沿った断面図である。
【図２８】図２６の水難用救命具の作用説明図である。
【図２９】本考案の第３実施例に係る水難用救命具の平面図である（実施例３）。
【図３０】図２９のＸＸＸ−ＸＸＸ’線に沿った断面図である。
【図３１】本考案の第４実施例に係る水難用救命具の断面図である（実施例４）。
【図３２】図３１の変形例を示す断面図である。
【図３３】図３２の変形例を示す一部省略した組み立て斜視図である。
【図３４】図３３に示す変形例の組み立て後の一部省略した断面図である。
【図３５】図３１の他の変形例を示す断面図である。
【図３６】本考案の第５実施例に係る水難用救命具の断面図である（実施例５）。
【図３７】本考案の第６実施例に係る水難用救命具の断面図である（実施例６）。
【図３８】本考案の第７実施例に係る水難用救命具の断面図である（実施例７）。
【図３９】図３８の水難用救命具の作用説明図である。
【図４０】図３８の密閉栓の変形例を示す平面図である。
【図４１】図３８の変形例を示す断面図である。
【図４２】図４１のＺ方向の一部省略した矢視図である。
【図４３】本考案の第８実施例に係る水難用救命具の断面図である（実施例８）。
【図４４】本考案の第９実施例に係る水難用救命具の断面図である（実施例９）。
【考案を実施するための最良の形態】
【０００９】
以下、本考案の最良の形態を実施例に基づき説明する。
【実施例１】
【００１０】
図１乃至図４を参照して本考案の一つの実施例を説明する。図１乃至図３は各々本考案に係る水難用救命具の平面図、正面図、底面図、図４は図１のＩＶ−ＩＶ’線に沿った縦断面図である。
これらの図において、１はプラスチック製の密閉容器形の中空の本体であり、内部に圧縮空気を貯蔵する気室２を有している。３は本体１の側壁４に装着されて外部から圧縮空気を気室２に注入するための圧縮空気注入バルブであり、注入後、圧縮空気が気室２から外部に漏れないようにする逆止弁としての機能を有する。圧縮空気注入バルブ３は自転車用の英式バルブと略同形に構成されており、図５乃至図７の断面図、図８の組み立て図に示す如く、本体１の側壁４を貫通して装着された略円筒状のステム５と該ステム５の内部に挿脱自在に装填されたコア６を有している。ステム５は図５、図６に示す如く軸方向の中央より少し先に円環状のツバ部７、手元側（図５、図６の左側）にネジ部８が設けられており、内側の中空部９の内、手元側が大径部１０、先端側が小径部１１、中間がテーパ部１２となっている。一方、コア６は図５、図７に示す如く全体が棒状に形成されており、内部に手元側（図５、図６の左側）の開口１３から先端近くまで中空部１４が設けられている。コア６には手元側からネジ部１５、大径部１６、小径の首部１７、テーパ部１８、柱状部１９が設けられており、柱状部１９の先端近くには中空部１４を外部と連通する空気孔２０、２０が穿設されている。コア６には柱状部１９の外側から首部１７に掛けてチューブ状の虫ゴム２１が被嵌されている。
【００１１】
図８に示す如くステム５は、円環状のシーリング部材２２をツバ部７の手元側に嵌めた状態で、本体１の側壁４に穿設されたバルブ取り付け穴２３に本体１の内側からネジ部８を差し込み、本体１の外側から円環状のシーリング部材２４とワッシャ２５を介してナット２６をネジ部８に螺合することで、本体１に密閉取着されている。そして、柱状部１９の外側から首部１７に掛けて虫ゴム２１を嵌めたコア６をステム５の中空部９に装填したのち、コア押さえ２７の孔２８をコア６のネジ部１５に遊挿し、コア押さえ２７をステム５のネジ部８に螺合することで、コア６の大径部１６を軸方向先端側に押圧させ、テーパ部１８を虫ゴム２１を介してステム５のテーパ部１２へ押圧させることによりステム５とコア６の隙間を密閉している。
図示しない空気入れにより、コア６の開口１３から圧縮空気を入れると、中空部１４、空気孔２０、２０、虫ゴム２１と柱状部１９の間を通って気室２の中に注入される。気室２が所定の一定圧力となるまで圧縮空気を注入後、コア６のネジ部１５にキャップ２９を螺合しておく。空気孔２０、２０が虫ゴム２１により密閉されるので外部に圧縮空気が漏れることはない。
【００１２】
図４に示す如く、本体１の上壁３０の中央が円形に開口されて気室２の圧縮空気を外部に導く吐出流路３１が形成されている。吐出流路３１の入口側が流入口３２、出口側が吐出口３３と成っている。流入口３２の周囲の内壁３４には円筒状の突起部３５が気室２に向けて突設されている。本体１の上壁３０の外側には折り畳まれた浮き袋３６が配設されており、浮き袋３６の口元が吐出流路３１の吐出口３３と接続されている。具体的には、浮き袋３６の口元の外側が、吐出口３３から突起部３５までを含む吐出流路３１の周辺の本体１の上壁３０に接着剤（図１３の符号３７の接着剤層を参照）による接着により取着されて外部から密閉されている。
また、突起部３５の内側には吐出流路３１を塞ぐようにプラスチック製の密閉栓３８が浮き袋３６の口元の内側に接着剤（図１３の符号３９の接着剤層を参照）による接着により取着されている。密閉栓３８は図９、図１０に示す如く円盤形に形成されており、外側の中央に紐取り付け部４０が突設されている。また、外側の表面から一定深さまで紐取り付け部４０を中心とし、吐出流路３１より小さい径の円周に沿って溝４１が切り込まれており、紐取り付け部４０を気室２とは反対の外方向へ大きな力で引っ張ることで溝４１に沿って密閉栓３８を破断し、破壊可能となっている（図１６（１）参照）。但し、気室２の圧縮空気から加わる所定の一定の圧力の押圧力だけでは破断しないように形成されている。
【００１３】
本体１の上外側には更に、折り畳まれた浮き袋３６を覆うようにして開閉自在に椀形のプラスチック製のカバー４２が装着されている。カバー４２と本体１の図１における中央上側端部（図２における左側端部）に一対の紐取り付け部４３、４４が突設されており、これらの紐取り付け部４３、４４に釣り糸、ピアノ線の如くプラスチック、金属等で形成された紐４５が取り付けられてカバー４２が本体１から離れないようになっている。そして、カバー４２の周端縁が内側へ略Ｌ字状（鉤状）に折り曲げられており（図４参照）、本体１の上面の図１における左右端部近くに突設された計２個のカバー係止突起４６に係脱自在に係止されている（図４参照）。また、本体１の上面の図１における中央下端部近くに形成された２つの係止穴部４７の中にカバー４２から突設された２つの係止突起４８が挿脱自在に差し込まれている。後述するように浮き袋３６の膨張でカバー４２が内側から押し上げられると、カバー４２とカバー係止突起４６との係合が外れるとともに、係止突起４８が係止穴部４７から抜けて紐取り付け部４４を中心にカバー４２が開く（図１７参照）。
【００１４】
カバー４２の上面には４個の取っ手係止部４９が突設されており、これらの取っ手係止部４９によりトラック形のプラスチック製または金属製の取っ手５０が係脱自在に係止されている。図１１に示す如く各取っ手係止部４９は、可撓性を有し、対向して配置された一対の柱状の係止片５１から成る。一対の係止片５１は上端部の断面が人差し指状に形成されて取っ手５０の押し込みを円滑に行なえるようになっており、取っ手５０を一対の係止片５１の間に押し込むと係止片５１が撓んで間隔が開き（図１２（１））、更に押し込むと窪み５２の間に係止される（図１２（２））。反対に、係止状態から取っ手５０を引き上げると、係止片５１が撓んで間隔が開き、外部に取り出すことができる。
【００１５】
取っ手５０は密閉栓３８を破断し、吐出流路３１の閉塞を解除させるための操作手段としての機能を有している。即ち、取っ手５０に設けられた紐取り付け部５３と密閉栓３８の紐取り付け部４０の間がピアノ線の如く強度の高い材質で形成された線状部材としての紐５４で繋げられており、取っ手５０をカバー４２と反対の上方へ引っ張ることで密閉栓３８を破断し、破壊可能に形成されている。図１３に示す如く浮き袋３６の上部中央で密閉栓３８に対向する位置の膜５５に紐５４より少し大きな径の紐通し用の膜孔５６が穿設されており、膜５５の内側で膜孔５６の周縁に、内部に紐５４を通すためのゴム製（ゴム程度の柔軟性の有るプラスチック製としても良い）で略円柱状に形成された紐通し部材５７が接着されている。紐通し部材５７には内部を貫通した紐通し孔５８が形成されており、この紐通し孔５８は膜孔５６と直線状に連なっている。紐通し孔５８は上半部分が紐５４と略同径か僅かに大きな径で直線状に形成されるとともに、下半部分が球体と楕円体を一体とした略コケシ形に形成されて封止部５９と成っている。封止部５９の内面には粘性を有するシール膜６０が接着されている。
【００１６】
紐５４は、一端側が密閉栓３８の紐取り付け部４０に結ばれており、他端側が紐通し部材５７と膜５５の紐通し孔５８、膜孔５６を通した後、取っ手５０の紐取り付け部５３に結ばれている。紐通し部材５７と密閉栓３８の間の紐５４は弛んでおり、紐通し部材５７と密閉栓３８の間の紐５４の内、真ん中より密閉栓３８の寄りに、球体と楕円体を一体とした略コケシ形に形成されたプラスチック製または金属製の封止部材６１が装着されている。封止部材６１は封止部５９と同形で少し太く形成されている。取っ手５０が外方向に引っ張られて紐５４が直線状に延びようとするとき、まず、密閉栓３８に引っ張り力が加わり溝４１に沿って破断されて密閉栓３８による閉塞が解除され（図１６（１）参照）、続いて、封止部材６１が紐通し部材５７の紐通し孔５８の封止部５９に嵌入し、紐通し孔５８を封止する。この際、封止部材６１が封止部５９より少し太く形成されているので、紐通し部材５７の下半部分が少し押し広げられ、反力で封止部材６１が周囲から中心方向に押圧されること、及び、紐通し部材５７と封止部材６１の間にシール膜６０が挟まっていることから持続的に密閉性が確保される。また、封止部材６１の球状部６２が封止部５９の球状部６３に嵌合するので抜けが防止される（図１６（２）参照）。
【００１７】
カバー４２には図１に示す如く、浮き袋３６の膜孔５６の直上から紐取り付け部４３とは反対側の端にわたり細長い紐逃がし開口６４が形成されている。取っ手５０の紐取り付け部５３は膜孔５６の真上近くに配置されている。そして、封止部材６１が紐通し部材５７に嵌入したときの膜孔５６から紐取り付け部５３までの紐５４の長さが紐逃がし開口６４を平面的に見た長さより長くなっており、カバー４２が開く際に膜孔５６から取っ手５０の紐取り付け部５３までの紐５４が紐逃がし開口６４から抜け出ることでカバー４２が開く邪魔をしないようになっている。
【００１８】
本体１には水難用救命具を二の腕等の身体に取り付けるための止め具６５が装備されている。止め具６５はワンタッチ着脱式のプラスチック製または金属製のバックル６６と面ファスナー付の布製のバンド６７から成り、この内、バックル６６は本体１の底面６８に装着されたオス側バックル部材６９と、オス側バックル部材６９に外部から嵌脱自在なメス側バックル部材７０から成る。図１４に示す如くオス側バックル部材６９は断面凸形に形成されており、両側のツバ部７１、７２の中央に半割り円柱状のバネ係合溝７３、７４が刻設されている。メス側バックル部材７０は全体が直方体に形成されており、内側の断面凸形の空間から成る受け部７５をオス側バックル部材６９へ図１４の矢印ＡまたはＢの方向へスライドさせることで嵌脱可能に成っている。メス側バックル部材７０の両側部には中央が山形に湾曲された金属製の板バネ７６、７７が内蔵されており、湾曲部７８、７９が受け部７５の空間に突設されている。オス側バックル部材６９をメス側バックル部材７０の受け部７５に挿入した状態としたとき湾曲部７８、７９がバネ係合溝７３、７４に係合し、メス側バックル部材７０の抜けが防止される。メス側バックル部材７０を一定以上の力で引き出すと、オス側バックル部材６９との係合が外れてメス側バックル部材７０を取り外すことができる。
【００１９】
図１５はメス側バックル部材７０の組み立て図である。８０は全体が直方体状の基台であり、上面の前端から後端近くまで凹部８１が形成されるとともに、両側面に各々長穴８２、８３を有するバンド取り付け部８４、８５が突設されている。基台８０の凹部８１の両側に溝８６、８７が刻設されており、この溝８６、８７に板バネ７６、７７を装填したのち、基台８０の上面にコ字状の蓋８８を図示しない螺子により取着することでメス側バックル部材７０が構成されている。図２、図３に示す如く、バンド取り付け部８４の長穴８２にバンド６７の一端側が取り付けられている。バンド６７の他端側はバンド取り付け部８５の長穴８３に通したのち、面ファスナー８９によりバンド取り付け部８５の近くのバンド６７の面ファスナー９０に着脱自在となっている。
【００２０】
次に上記した実施例の作用を説明する。
（１）準備
例えば海水浴で水難用救命具を使用したい場合、予め、本体１に装着された圧縮空気注入バルブ３のキャップ２９を外して図示しない空気入れにより、圧縮空気注入バルブ３から圧縮空気を気室２に注入しておく。この際、気室２の中は密閉栓３８が破断しない所定の一定圧力とする。注入後、キャップ２９を締めておく。圧縮空気注入バルブ３は虫ゴム２１がコア６の空気孔２０、２０を閉塞した逆止弁の機能を有し、外部に圧縮空気は洩れない。本体１の底面６８に装着されたオス側バックル部材６９にバンド６７の付いたメス側バックル部材７０を嵌着し、一端側がバンド取り付け部８４に取り付けらたバンド６７を二の腕に回し、他端側をバンド取り付け部８５の長穴８３に通したのち、面ファスナー８９を９０に貼り付けて固定する。
【００２１】
（２）浮き袋の膨張
遊泳中に溺れかかったとき、カバー４２から取っ手５０を外し、外方向へ強く引っ張る。すると、浮き袋３６の中から紐５４が引き出されて弛みが延び、まず密閉栓３８が引っ張られて溝４１の個所で破断し、吐出流路３１の閉塞が解除される（図１６の（１）参照）。続いて、密閉栓３８の直上の紐５４に取り付けられた封止部材６１が紐通し部材５７の封止部５９に嵌入し、紐通し孔５８を封止する。この際、封止部材６１により紐通し部材５７の下半部分が少し押し広げられ、反力で封止部材６１を周囲から中心方向に押圧すること、及び間にシール膜６０が挟まっていることから持続的に密閉性が確保される。また、封止部材６１の球状部６２が封止部５９の球状部６３に嵌合するので抜けが防止される（図１６の（２）参照）。
【００２２】
密閉栓３８の破断により、気室２の圧縮空気が吐出流路３１を通って浮き袋３６の内部に流入し急速に膨張させる。浮き袋の膨張に押されてカバー４２の図１における左右端部が本体１のカバー係止突起４６から外れるとともにカバー４２の図１における下端部の係止突起４８が本体１の係止穴部４７から抜けてカバー４２が開き図１７の如くなり、膨張後の浮き袋３６の浮力によりユーザが溺れるのを防ぐことができる。カバー４２が開く際、紐５４が紐逃がし開口６４から抜け出るので、カバー４２が開く妨げとならない。
【００２３】
この実施例によれば、予め、空気入れにより圧縮空気を水難用救命具の圧縮空気注入バルブ３を通して気室２に所定の一定圧力となるまで充填した状態で、止め具６５により二の腕などの体の一部に取り付けておき、使用時、取っ手５０を引っ張り、紐５４を介して密閉栓３８に外力を加え吐出流路３１の閉塞を解除することで、吐出流路３１を通して気室２から圧縮空気を流入させて本体１の外側に折り畳まれて配置された浮き袋３６を膨張させることができる。圧縮空気を本体１の中に直接貯める構造なため、従来の如く、ケースと小形ボンベの二重構造としなくて済み、圧縮空気の貯蔵容量を大きくできる。また、構造が複雑で製造が難しい小型ボンベを用いなくても、必要な時に、ワンタッチで圧縮空気を浮き袋３６に注入させて膨脹させることができる。
密閉栓３８には予め、溝４１を入れておき、紐取り付け部４０に加えた引っ張り力により破断させて吐出流路３１の閉塞を解除させるようにしたので、吐出流路３１の閉塞を解除させるための機械的な構造・動作が不要であり、構成が簡単で済む。
取っ手５０に加えられた引張り力を浮き袋３６の中を通した紐５４により密閉栓３８に伝達するようにしたので、比較的簡単な構成で取っ手５０に加えられた引張り力を密閉栓３８に伝達することができる。この際、浮き袋３６の膜５５に装着した紐通し部材５７に紐５４に装着した封止部材６１を嵌入させて紐通し孔５８を封止するようにしたことで、浮き袋３６の持続的な気密が確保される。
圧縮空気が注入済の状態で購入したが、時間の経過で抜けてしまつていた場合でも、使用直前に、圧縮空気注入バルブ３から再注入することができる。
【００２４】
なお、紐通し部材と封止部材は種々の構成が可能であり、例えば、図１８に示す如く、紐通し部材５７の封止部５９を被覆するシール膜６０Ａを紐通し部材５７の下端面まで延設するとともに、封止部材６１Ａの下端に円盤状のツバ部９１を設け、嵌入時に、ツバ部９１がシール膜６０Ａを介して紐通し部材５７の下端面に密着するようにして気密性保持効果を高めたり（図１９参照）、図２０に示す如く、紐５４に装着する封止部材６１Ｂを球状とし、嵌入時に、封止部５９の球状部６３に嵌るようにしても良い（図２１参照）。また、図２２に示す如く、浮き袋３６の膜孔５６Ａの中を貫通して紐通し部材５７を接着により膜孔５６Ａの周縁に取着するようにしても良い。
【００２５】
また、紐通し部材をバレーボール、バスケットボールなどに用いられている空気注入バルブと同様の気密保持性を有する構成とし、封止部材を省略しても良い。具体的には図２３の断面図の符号５７Ａに示す如く、浮き袋３６の膜５５に開けた紐通し用の膜孔５６の周縁の内周側と外周側に接着されたゴム製で円柱状の虫ゴム９２とゴム製で半球状のバルブ本体９３とから構成し、虫ゴム９２の中心に開けられた紐通し孔９４に相通した紐５４の一端側を密閉栓３８の紐取り付け部４０に結び、他端側を取っ手５０の紐取り付け部５３に結ぶ。バルブ本体９３が周囲から虫ゴム９２を中心方向へ押圧し、紐通し孔９４を閉塞することで気密性を保持するようにする紐５４は強く引っ張ることで浮き袋３６の外側に引き出すことができる。
【００２６】
また、密閉栓を破断することにより吐出流路の閉塞を解除する構成としたが、密閉栓を引き出すことで閉塞を解除するようにしても良い。例えば、図２４に示す例では、本体１の上壁３０に漏斗状の吐出流路３１Ａが形成されており、流入口３２Ａから吐出口３３Ａまでを含む吐出流路周辺の上壁３０に沿って浮き袋３６の口元が接着され（図２４の接着剤層３７Ａ参照）、更に球状のプラスチック製または金属製の密閉栓３８Ａが吐出流路３１Ａの吐出側を閉塞するように浮き袋３６の膜５５に接着されている（図２４の接着剤層３９Ａ参照）。一端側が取っ手５０と結ばれた紐５４の他端側が密閉栓３８Ａの上側に設けられた紐取り付け部４０Ａに結ばれている。密閉栓３８Ａは気室２の所定の一定圧力の圧縮空気による押圧力だけでは外れないが、引っ張り上げる外力が加えられたとき外れるような強度で接着されている。使用時に取っ手５０を引っ張ると、紐５４を介して密閉栓３８Ａが引っ張り上げられて、浮き袋３６の膜５５から離脱し、吐出流路３１Ａの閉塞が解除されて気室２から浮き袋３６に圧縮空気が流入し膨張させる（図２５参照）。
【実施例２】
【００２７】
図２６と図２７は本考案の第２実施例に係る水難用救命具の平面図と縦断面図であり、図１、図４と同一の構成部分には同一の符号が付してある。
図１の第１実施例では本体１に対し開閉自在に備えられたカバーの中央で紐を引っ張るようにしたが、この第２実施例では、カバーを２つに分けて一方を本体に固定し、他方を本体に対し開閉自在とし、固定側のカバーから紐を引っ張るようにした例を示す。
図２７において、本体１の上壁３０の中央より圧縮空気注入バルブ３に寄った位置が円形に開口されて吐出流路３１Ｂが形成されている。吐出流路３１Ｂの入口側が流入口３２Ｂ、出口側が吐出口３３Ｂと成っている。流入口３２Ｂの周囲の内壁３４には円筒状の突起部３５Ｂが気室２に向けて突設されている。本体１の上壁３０の外側には折り畳まれた浮き袋３６が配設されており、浮き袋３６の口元の外側が、吐出口３３Ｂから突起部３５Ｂまでを含む吐出流路３１Ｂの周辺の本体１の上壁３０に接着剤による接着により取着されて外部から密閉されている。
また、突起部３５Ｂの内側には吐出流路３１Ｂを塞ぐように密閉栓３８が浮き袋３６の口元の内側に接着剤による接着により取着されている。
【００２８】
図２６に示す如く、本体１の上外側には、折り畳まれた浮き袋３６の図２７における左寄りの部分を覆うようにして本体１と一体化された第１のカバーとしての固定のカバー４２０が設けられるとともに、浮き袋３６の残りの部分を覆う開閉自在な第２のカバーとしてのカバー４２１が装着されている。カバー４２０と４２１は合わせて１つの椀形を成す。カバー４２１と本体１の図２６における中央上側端部に一対の紐取り付け部４３、４４が突設されており、これらの紐取り付け部４３、４４に紐４５が取り付けられてカバー４２１が本体１から離れないようになっている。そして、カバー４２１の周端縁が略Ｌ字状に折り曲げられており（図２７参照）、本体１の上面の図２６における右端部近くに突設されたカバー係止突起４６に係脱自在に係止されている。また、本体１の上面の図２６における中央下端部近くに形成された計２個の係止穴部４７の中にカバー４２から突設された係止突起４８が挿脱自在に差し込まれている。浮き袋３６の膨張でカバー４２１が内側から押し上げられると、カバー４２１とカバー係止突起４６との係合が外れるとともに、係止突起４８が係止穴部４７から抜けて紐取り付け部４４を中心にカバー４２１が開く。
【００２９】
カバー４２１の上面には４個の取っ手係止部４９が突設されており、これらの取っ手係止部４９によりトラック形の取っ手５０が係脱自在に係止されている。密閉栓３８の真上に当たるカバー４２０と浮き袋３８の膜５５に各々、紐通し用の紐通し開口１００と膜孔５６が穿設されており、膜５５の内側で膜孔５６の周縁に、図４と同一に形成された紐通し部材５７が接着により取着されている。紐通し部材５７には内部を貫通した紐通し孔５８が形成されており、この紐通し孔５８は膜孔５６と直線状に連なっている。
【００３０】
紐５４は一端側が密閉栓３８の紐取り付け部４０に結ばれており、他端側が紐通し部材５７と膜５５とカバー４２０の紐通し孔５８、膜孔５６、紐通し開口１００を通した後、取っ手５０の紐取り付け部５３に結ばれている。紐通し部材５７と密閉栓３８の間の紐５４は弛んでおり、紐通し部材５７と密閉栓３８の間の紐５４の内、真ん中より密閉栓３８の寄りに、図４と同一に形成された封止部材６１が装着されている。
その他の構成部分は第１実施例と同様に構成されている。
【００３１】
次に第２実施例の作用を説明する。
予め気室２に圧縮空気が充填済であるとして、使用時、カバー４２１から取っ手５０を外し、図２６の上方へ強く引っ張る。すると、浮き袋３６の中から紐５４が引き出されて弛みが延び、まず密閉栓３８が引っ張られて溝４１の個所で破断し、吐出流路３１Ｂの閉塞が解除される。続いて、密閉栓３８の直上の紐５４に取り付けられた封止部材６１が紐通し部材５７の封止部５９に嵌入し、紐通し孔５８を封止する。
吐出流路３１Ｂの閉塞が解除されることで、気室２の圧縮空気が吐出流路３１Ｂを通って浮き袋３６の内部に流入し急速に膨張させる。浮き袋３６の膨張に押されてカバー４２１の図２７における右端部が本体１のカバー係止突起４６から外れるとともにカバー４２１の図２６における下端部の係止突起４８が本体１の係止穴部４７から抜けてカバー４２１が開き図２８の如くなり、膨張後の浮き袋３６の浮力によりユーザが溺れるのを防ぐことができる。
【００３２】
この第２実施例によれば、紐５４を引っ張リ出す個所のカバー４２０が本体１に固定されているので、引っ張り中にカバー４２０が開かず、円滑に引っ張り動作を行なえる。浮き袋３６は全体として図２７の右上方向に膨脹するので、密閉栓３８の破断後、取っ手５０をゆっくり離せば良い。
なお、第１実施例の場合と同様に、紐通し部材と封止部材は種々の構成が可能であり、図１８、図２０、図２２に示す例の如く変形可能である。また、紐通し部材を図２３の如くバレーボール、バスケットボールなどに用いられている空気注入バルブと同様の構成とし、自身に気密保持性を持たせて封止部材を省略するようにしても良い。
また、密閉栓を破断により閉塞を解除する構成としたが、図２４に示す如く引き出しで解除するようにしても良い。
【実施例３】
【００３３】
図２９と図３０は本考案の第３実施例に係る水難用救命具の平面図と縦断面図であり、図１、図４と同一の構成部分には同一の符号が付してある。
図１の第１実施例では本体に対し開閉自在に備えられたカバーの中央で紐を引っ張るようにしたが、この第３実施例では、本体の側面から紐を引っ張るようにした例を示す。
図２９、図３０において、本体１Ｃの上壁３０Ｃは周囲から中央に向かって盛り上げられており、中央に楕円形の筒状に形成された突起部１０１が上下に突設されている。突起部１０１の内、下半部の図３０における右側部分は開口１０２となっている。本体１Ｃの内部には、上壁３０Ｃに沿って図２９における中央から下端部近く（図３０における中央から右端部近く）に掛けて、突起部１０１の図２９の左右方向の内径と同じ幅の２つの単尺と長尺の水平板１０３、１０４が段違いに配設されている。この内、水平板１０３は突起部１０１の下端を塞ぎながら図３０の右方に少し延長されている。水平板１０４は水平板１０３の端部近くの真下から図３０の右方へ本体１Ｃの側壁４まで延設されており、水平板１０３の端部と水平板１０４の端部近くの間に内部垂直板１０５が設けられている。また、水平板１０４に対向する上壁３０Ｃの図３０における右端近くが水平板１０４まで垂直に折曲されて外部垂直板１０６（本体側壁の一部）が形成されている。そして、突起部１０１の下半部の壁１０７（図２９参照）と連続して図３０の右方向へ側壁４まで延設されるとともに、水平板１０３、内部垂直板１０５、水平板１０４、外部垂直板１０６の図２９における左右両端から上壁３０Ｃまで延設された２枚の側板１０８、１０９が設けられている。これらの突起部１０１、水平板１０３、内部垂直板１０５、水平板１０４、外部垂直板１０６、側板１０８、１０９、上壁３０Ｃに囲まれた空間により気室２Ｃから隔離された吐出流路３１Ｃが形成されている。
【００３４】
内部垂直板１０５は円形に開口されて吐出流路３１Ｃの流入口３２Ｃが形成されており、この流入口３２Ｃを塞ぐように密閉栓３８が流入口３２Ｃの周囲に接着により固着されている。突起部１０１の上側の円形開口が吐出流路３１Ｃの吐出口３３Ｃとなっている。突起部１０１の上半部の外側から周辺の上壁３０Ｃに掛けて、本体１Ｃの外側に配設された浮き袋３６の口元の内側が接着により取着されて外部から密閉されている。
【００３５】
本体１Ｃの上外側には、折り畳まれた浮き袋３６を覆うようにして開閉自在に椀形のカバー４２Ｃが装着されている。カバー４２Ｃと本体１Ｃの図２９における中央上側端部（図３０の中央左側端部）に一対の紐取り付け部４３、４４が突設されており、これらの紐取り付け部４３、４４に紐４５が取り付けられてカバー４２Ｃが本体１Ｃから離れないようになっている。そして、カバー４２Ｃの周端縁が略Ｌ字状に折り曲げられており（図３０参照）、本体１Ｃの上面の図２９における左右端部近くに突設された２つのカバー係止突起４６に係脱自在に係止されている。また、本体１Ｃの上面の図２９における中央下端部近くに形成された２つの係止穴部４７の中にカバー４２Ｃから突設された２つの係止突起４８が挿脱自在に差し込まれている。
【００３６】
カバー４２Ｃの上面には４個の取っ手係止部４９が突設されており、これらの取っ手係止部４９によりトラック形の取っ手５０が係脱自在に係止されている。密閉栓３８に対向する外部垂直板１０６に紐通し孔１１０が穿設されており、紐通し孔１１０の内側に、図４と同一に形成された紐通し部材５７が接着されている。紐通し部材５７には内部を貫通した紐通し孔５８が形成されており、この紐通し孔５８は紐通し孔１１０と直線状に連なっている。
【００３７】
紐５４は一端側が密閉栓３８の紐取り付け部４０に結ばれており、他端側が紐通し部材５７と紐通し孔１１０を通した後、取っ手５０の紐取り付け部５３に結ばれている。紐通し部材５７と密閉栓３８の間の紐５４の内、真ん中より密閉栓３８の寄りに、図４と同一に形成された封止部材６１が装着されている。
その他の構成部分は第１実施例と同様に構成されている。
【００３８】
次に第３実施例の作用を説明する。
予め気室２Ｃに圧縮空気が充填済であるとして、使用時、カバー４２Ｃから取っ手５０を外し、図３０の右方向へ強く引っ張る。すると、密閉栓３８が引っ張られて溝４１の個所で破断し、吐出流路３１Ｃの閉塞が解除される。続いて、紐５４に取り付けられた封止部材６１が紐通し部材５７の封止部５９（図１６参照）に嵌入し、紐通し孔５８を封止する。
吐出流路３１Ｃの閉塞の解除により、気室２Ｃの圧縮空気が吐出流路３１Ｃを通って浮き袋３６の内部に流入し急速に膨張させる（図３０の矢印Ｃ参照）。浮き袋３６の膨張に押されてカバー４２Ｃの図２９における左右端部が本体１のカバー係止突起４６から外れるとともにカバー４２Ｃの図２９における下端部の係止突起４８が本体１Ｃの係止穴部４７から抜けてカバー４２Ｃが開き、膨張後の浮き袋３６の浮力によりユーザが溺れるのを防ぐことができる。
【００３９】
この第３実施例によれば、本体１Ｃの横方向に紐５４を引き出すので、例えば、左の二の腕に水難用救命具を取り付けたとき、右手を左から右へ自然に開く動作で取っ手５０を引っ張ることができるとともに、浮き袋３６の膨脹方向と引っ張り方向が異なるので操作がし易い。また、浮き袋３６に紐通し用の孔が開いていないので浮き袋３６の強度の確保が容易となる。
なお、第１実施例の場合と同様に、紐通し部材と封止部材は種々の構成が可能であり、図１８、図２０、図２２に示す例の如く変形可能である。また、紐通し部材を図２３の如くバレーボール、バスケットボールなどに用いられている空気注入バルブと同様の気密保持性を有する構成とし、封止部材わ省略しても良い。
また、密閉栓を破断することにより閉塞を解除する構成としたが、図２４に示す如く引き出しで解除するようにしても良い。
【実施例４】
【００４０】
図３１は本考案の第４実施例に係る水難用救命具の縦断面図であり、図４と同一の構成部分には同一の符号が付してある。
図４の例では取っ手と密閉栓を連結する紐が浮き袋の膜と固定されておらず、紐通し部材の紐通し孔と膜孔の中を移動する場合を示したが、この第４実施例では、取っ手の引っ張り力を密閉栓に伝達する伝達手段が浮き袋の膜と固定された例を示す。
図３１において、密閉栓３８の真上の浮き袋３６の膜５５に貫通状態でプラスチック製または金属製の紐取り付け部材１２０が密閉固着されている。紐取り付け部材１２０は膜５５の内外に紐取り付け部１２１、１２２を備えており、内側の紐取り付け部１２１と密閉栓３８の紐取り付け部４０の間に第１の連結部材としての第１の紐１２３が連結されており、外側の紐取り付け部１２２と取っ手５０の紐取り付け部５３の間に紐逃がし開口６４を通して第２の連結部材としての第２の紐１２４が連結されている。第２の紐１２４は、図４の紐５４の膜孔５６から取っ手５０の紐取り付け部５３の間の長さと同じ長さを有している。第１、第２の紐１２２、１２３は、紐５４と同様にピアノ線の如く強度の高い材質で形成されている。
その他の構成部分は第１実施例と同様に構成されている。
【００４１】
次に第４実施例の作用を説明する。予め気室２に圧縮空気が充填済であるとして、使用時、カバー４２から取っ手５０を外し、外方向へ強く引っ張る。すると、第２の紐１２４、紐取り付け部材１２０、第１の紐１２３を介して密閉栓３８の中央が引っ張られて溝４１から破断し、吐出流路３１の閉塞が解除される。吐出流路３１の閉塞の解除により、気室２の圧縮空気が吐出流路３１を通って浮き袋３６の内部に入り膨張させる。浮き袋３６の膨張に押されてカバー４２が開き膨張後の浮き袋３６の浮力により溺れるのを防ぐことができる。破断した密閉栓３８は第１の紐１２３に吊り下がる。
【００４２】
この第４実施例によれば、浮き袋３６の膜５５に紐通し用の膜孔が開いていないので、紐通し部材が不要となるとともに、紐通し部材の紐通し孔の中を紐が移動する構成でないので、摩擦がなく、取っ手５０に加えた引っ張り力をそのまま密閉栓３８に伝えることができる。
なお、図３２に示す如く紐取り付け部材１２０を２つに分け、浮き袋３６の密閉栓３８の真上の膜５５の同じ個所の内側と外側に各々紐取り付け部材１２０Ａ、１２０Ｂを装着し、内側の紐取り付け部材１２０Ａの紐取り付け部１２１と密閉栓３８の紐取り付け部４０の間に第１の紐１２３、外側の紐取り付け部材１２０Ｂの紐取り付け部１２２と取っ手５０の紐取り付け部５３の間に第２の紐１２４を連結するようにしても良い。この際、図３３に示す如く、紐取り付け部材１２０Ａ’の上面中央に形成した凹部１２５に、膜５５を挟んで、紐紐取り付け部材１２０Ｂ’の下面中央に形成した凸部１２６を嵌合しながら、紐取り付け部材１２０Ａ’の上面と膜５５の下面との間、紐取り付け部材１２０Ｂ’の下面と膜５５の上面との間を接着するようにしても良い（図３４参照）。
また、図３５に示す如く、浮き袋３６の膜５５を貫通させて取っ手５０の紐取り付け部５３と密閉栓３８の紐取り付け部４０を結ぶ連結部材としての紐１２５を設け、膜５５の両側に配設された円錐台状のプラスチック製または金属製の止め金具１２６、１２７の中央に紐１２５を貫通させて接着固定させると同時に膜５５の両面に止め金具１２６、１２７を密閉接着するようにしても良い。この場合、紐１２５の止め金具１２７と取っ手５０の紐取り付け部５３の間の長さは、図４の紐５４の膜孔５６から取っ手５０の紐取り付け部５３の間の長さと同じ長さとすると良い。
また、図３１、図３２、図３３と図３４、図３５の例において、吐出流路と密閉栓を図２４のタイプに代えても良い。
【実施例５】
【００４３】
図３６は本考案の第５実施例に係る水難用救命具の縦断面図であり、図２６、図２７と同一の構成部分には同一の符号が付してある。
図２６、図２７の第２実施例では取っ手と密閉栓を連結する紐が浮き袋の膜と固定されておらず、紐通し部材の紐通し孔と膜孔の中を移動する場合を示したが、この第５実施例では、第４実施例と同様に取っ手の引っ張り力を密閉栓に伝達する伝達手段が浮き袋の膜と固定された例を示す。
図３６において、密閉栓３８の真上の浮き袋３６の膜５５に貫通状態で紐取り付け部材１２０が密閉固着されている。紐取り付け部材１２０は膜５５の内外に紐取り付け部１２１、１２２を備えており、内側の紐取り付け部１２１と密閉栓３８の紐取り付け部４０の間に第１の紐１２３、外側の紐取り付け部１２２と取っ手５０の紐取り付け部５３の間に紐通し開口１００を通して第２の紐１２４が連結されている。
その他の構成部分は第２実施例と同様に構成されている。
【００４４】
次に第５実施例の作用を説明する。予め気室２に圧縮空気が充填済であるとして、使用時、カバー４２１から取っ手５０を外し、図３６の上方へ強く引っ張る。すると、第２の紐１２４、紐取り付け部材１２０、第１の紐１２３を介して密閉栓３８の中央が引っ張られて溝４１から破断し、吐出流路２１Ｂの閉塞が解除される。吐出流路２１Ｂの閉塞が解除されることにより、気室２の圧縮空気が吐出流路３１Ｂを通って浮き袋３６の内部に入り膨張させる。浮き袋３６の膨張に押されてカバー４２１が開き膨張後の浮き袋３６の浮力により溺れるのを防ぐことができる。破断した密閉栓３８は第１の紐１２３に吊り下がる。
【００４５】
この第５実施例によれば、第２実施例と同様に、第２の紐１２４を引っ張リ出す個所のカバー４２０が本体１に固定されているので、引っ張り中にカバー４２０が開かず、円滑に引っ張り動作を行なえる。浮き袋３６は全体として図３６の右上方向に膨脹するので、密閉栓３８の破断後、取っ手５０をゆっくり離せば良い。また、浮き袋３６の膜５５に紐通し用の膜孔が開いていないので、紐通し部材が不要となるとともに、紐通し部材部材の紐通し孔と膜孔の中を紐が移動する構成でないので、摩擦がなく、取っ手５０に加えた引っ張り力をそのまま密閉栓３８に伝えることができる。
なお、紐取り付け部材を図３２または図３３、図３４に示す如く２つに分けたり、図３５に示す如く、浮き袋の膜を貫通して取っ手の紐取り付け部と密閉栓の紐取り付け部を結ぶ紐を設けるようにしても良い。また、吐出流路と密閉栓を図２４のタイプに代えても良い。
【実施例６】
【００４６】
図３７は本考案の第６実施例に係る水難用救命具の縦断面図であり、図２９、図３０と同一の構成部分には同一の符号が付してある。
図２９、図３０の例では取っ手と密閉栓を連結する紐が紐通し部材の紐通し孔と膜孔の中を移動する場合を示したが、この第６実施例では、取っ手の引っ張り力を密閉栓に伝達する伝達手段が本体に装備した膜と固定された例を示す。
図３７において、外側垂直板１０６に開口１２８が穿設されており、この開口１２８を塞ぐようにして、プラスチック膜または織布または不織布等で形成されて変形自在に折り曲げられてフレキシブルな密閉膜１２９の端部が開口１２８の周辺に接着により取着されて外部から密閉されている。密閉膜１２９の中央に貫通状態で紐取り付け部材１２０が密閉固着されている。紐取り付け部材１２０は密閉膜１３１の内外に紐取り付け部１２１、１２２を備えており、内側の紐取り付け部１２１と密閉栓３８の紐取り付け部４０の間に第１の紐１２３、外側の紐取り付け部１２２と取っ手５０の紐取り付け部５３の間に第２の紐１２４が連結されている。
その他の構成部分は第３実施例と同様に構成されている。
【００４７】
次に第６実施例の作用を説明する。予め気室２Ｃに圧縮空気が充填済であるとして、使用時、カバー４２Ｃから取っ手５０を外し、図３７の右方向へ強く引っ張る。すると、第２の紐１２４、紐取り付け部材１２０、第１の紐１２３を介して密閉栓３８の中央が引っ張られて溝４１から破断し、吐出流路３１Ｃの閉塞が解除される。吐出流路３１Ｃの閉塞が解除されることにより、気室２Ｃの圧縮空気が吐出流路３１Ｃを通って浮き袋３６の内部に入り膨張させる（矢印Ｃ参照）。浮き袋３６の膨張に押されてカバー４２Ｃが開き膨張後の浮き袋３６の浮力により溺れるのを防ぐことができる。
【００４８】
この第６実施例によれば、本体１Ｃに紐通し用の孔が開いていないので、紐通し部材が不要となるとともに、紐通し部材の紐通し孔や膜孔の中を紐が移動する構成でないので、摩擦がなく、取っ手５０に加えた引っ張り力をそのまま密閉栓３８に伝えることができる。また、本体１Ｃの横方向に第２の紐１２４を引っ張るので、例えば、左の二の腕に水難救命具を取り付けたとき、右手を左から右へ自然に開く動作で取っ手５０を引っ張ることができるとともに、浮き袋３６の膨脹方向と引っ張り方向が異なるので操作がし易い。また、浮き袋３６に紐通し用の孔が開いていないので浮き袋３６の強度の確保が容易となる。
なお、紐取り付け部材を図３２または図３３、図３４に示す如く２つに分けたり、図３５に示す如く、浮き袋の膜を貫通して取っ手の紐取り付け部と密閉栓の紐取り付け部を結ぶ紐を設けるようにしても良い。また、吐出流路と密閉栓を図２３のタイプに代えても良い。
【実施例７】
【００４９】
図３８は本考案の第７実施例に係る水難用救命具の縦断面図であり、図４と同一の構成部分には同一の符号が付してある。
図４の例では取っ手に結んだ紐により密閉栓を引っ張り破断する場合を示したが、この第７実施例では、押し棒により密閉栓を押し下げて破断する例を示す。  図３８において、本体１の上壁３０の中央に形成された吐出流路３１を塞ぐように円盤状の密閉栓３８Ｄが接着により取着されている。密閉栓３８Ｄは図９、図１０に示す密閉栓３８から紐取り付け部４０を取り除いた形状を有している。本体１の上外側には、折り畳まれた浮き袋３６を覆うようにして開閉自在に椀形のプラスチック製のカバー４２Ｄが装着されている。カバー４２Ｄは図１のカバー４２における紐取り付け部４３、４４、紐４５、カバー係止突起４６、係止穴部４７、係止突起４８と全く同様の構成により、本体１に係脱自在に係止されている。
【００５０】
カバー４２Ｄの中央で密閉栓３８Ｄの真上に相当する箇所は窪んでプラスチック製または金属製の押し棒１３０が上下方向にスライド自在に装備されている。押し棒１３０はボタン形の操作手段としてのヘッド部１３１とヘッド部１３１の下側中央から下方へ密閉栓３８Ｄの近くまで延設された円柱状の伝達手段としての棒部１３２から成る。カバー４２Ｄの中央には段付円筒状のガイド部１３３が形成されており、ガイド部１３３の中に押し棒１３０の棒部１３２が上下にスライド自在に嵌合されている。ヘッド部１３１の下面側とガイド部１３３の段部１３４の間には棒部１３２が貫通した抜け防止部としてのドーナツ形をしたスポンジ製のクッション部材１３５が介装されている。このクッション部材１３５の下面が段部１３４の上面に接着されており、上面がヘッド部１３１の下面に接着されている。棒部１３２の先端は浮き袋３６の膜５５を介して密閉栓３８Ｄに対向している。クッション部材１３５は、未使用時に、棒部１３２がガイド部１３３から抜けるのを防止する機能を有し、棒部１３２の先端が密閉栓３８Ｄから所定の一定距離れた位置に保持する。
その他の構成部分は第１実施例と同様に構成されている。
【００５１】
次に第７実施例の作用を説明する。予め気室２に圧縮空気が充填済であるとして、使用時、図３９に示す如く押し棒１３０のヘッド部１３１を下方向へ強く押すと、クッション部材１３５が圧縮されながら棒部１３１が下方へ移動し膜５５を介して密閉栓３８Ｄを突く。これにより、密閉栓３８Ｄに外力が作用し溝４１から破断し、吐出流路３１の閉塞が解除される。吐出流路３１の閉塞が解除されることにより、気室２の圧縮空気が吐出流路３１を通って浮き袋３６の内部に入り膨張させる。浮き袋３６の膨張に押されてカバー４２Ｄが押し棒１３０とともに開き膨張後の浮き袋３６の浮力により溺れるのを防ぐことができる。
【００５２】
この第７実施例によれば、押し棒１３０のヘッド部１３１に外力を加えると下方に延設された棒部１３２が浮き袋３６の膜５５を介して密閉栓３８Ｄを突くので、押し棒１３０に加えた外力により直接的に密閉栓３８Ｄを破断でき、確実に吐出流路３１の閉塞を解除することができる。また、取っ手が不要となるとともに、浮き袋３６の膜５５に紐通し用の膜孔が開いておらず強度の確保が容易となるとともに、紐通し部材も不要となる。
【００５３】
なお、図４０に示す如く密閉栓３８Ｄ’のリング状の溝４１の内側に網目状の一定深さの溝４１０を追加して、より破断し易くしても良い。
また、円盤状の密閉栓３８Ｄの代わりにボタン状の密閉栓を用いることもできる。例えば、図４１に示す例では、本体１の上壁３０の中央から下方へ円筒状に突設された突起部１３６の内部に漏斗状の吐出流路３１Ｅが形成されており、流入口３２Ｅから吐出口３３Ｅまでを含む吐出流路周辺の上壁３０に沿って浮き袋３６の口元が接着され、更にプラスチック製または金属製でボタン状の密閉栓３８Ｅが吐出流路３１Ｅの流入口側を閉塞するように浮き袋３６の膜５５に接着されている。吐出流路３１Ｅの周囲に上壁３０から突設された円筒状の突起部１３６の下面には吐出流路３１Ｅの中心に向けて放射状に４つのプラスチック製または金属製の逆止部材１３７が片持ち状に固着されている（図４２参照）。これらの逆止部材１３７はバネ性を有し、先端側（吐出流路３１Ｅの中心側）が気室２の側に湾曲している。
使用時、押し棒１３０のヘッド部１３１を下方向へ強く押すと、クッション部材１３５が圧縮されて棒部１３２が下方へ移動し膜５５を介して密閉栓３８Ｅを突く。これにより、密閉栓３８Ｅは浮き袋３６の膜５５との接着が剥がれ、逆止部材１３７を撓ませながら気室２の中に落ちて吐出流路３１Ｅの閉塞が解除される（図４１の符号３８ｅ参照）。密閉栓３８Ｅは逆止部材１３７に阻まれて吐出流路３１Ｅに戻ることはない。吐出流路３１Ｅの閉塞が解除されることにより、気室２の圧縮空気が吐出流路３１Ｅを通って浮き袋３６の内部に入り膨張させる。逆止部材１３７の代わりに、気室２の壁と密閉栓３８Ｅの間に引っ張りばね（図示せず）を介装しても良い。また、クッション部材１３５を棒部１３２に通したコイルバネに置換え、コイルバネの一端をヘッド部１３１の下面に固定し、他端を段部１３４の上面に固定することにより、抜け防止機能を発揮させるようにしても良い。
【実施例８】
【００５４】
図４３は本考案の第８実施例に係る水難用救命具の縦断面図であり、図２７と同一の構成部分には同一の符号が付してある。
図２７の例では取っ手に結んだ紐により密閉栓を引っ張り破断する場合を示したが、この第８実施例では、押し棒により密閉栓を押し下げて破断し開放する例を示す。
図４３において、本体１の上壁３０の中央より圧縮空気注入バルブ３に寄った位置が円形に開口されて吐出流路３１Ｂが形成されている。吐出流路３１Ｂの入口側が流入口３２Ｂ、出口側が吐出口３３Ｂと成っている。流入口３２Ｂの周囲の内壁３４には円筒状の突起部３５Ｂが気室２に向けて突設されている。本体１の上壁３０の外側には折り畳まれた浮き袋３６が配設されており、浮き袋３６の口元の外側が、吐出口３３Ｂから突起部３５Ｂまでを含む吐出流路３１Ｂの周辺の本体１の上壁３０に接着剤による接着により取着されて外部から密閉されている。
また、突起部３５Ｂの内側には吐出流路３１Ｂを塞ぐように密閉栓３８Ｄが浮き袋３６の口元の内側に接着剤による接着により取着されている。
【００５５】
本体１の上外側には、折り畳まれた浮き袋３６の図４３における左寄りの部分を覆うようにして本体１と一体化された第１のカバーとしての固定のカバー４２０Ｆが設けられるとともに、浮き袋３６の残りの部分を覆う開閉自在な第２のカバーとしてのカバー４２１が装着されている。カバー４２０Ｆと４２１は合わせて１つの椀形を成す。
カバー４２０Ｆの内、密閉栓３８Ｄの真上に相当する箇所に押し棒１３０が上下方向にスライド自在に装備されている。押し棒１３０はボタン形のヘッド部１３１とヘッド部１３１の下側中央から下方へ密閉栓３８Ｄの近くまで延設された円柱状の棒部１３２から成る。カバー４２０Ｆには段付円筒状のガイド部１３３Ｆが形成されており、ガイド部１３３Ｆの中に押し棒１３０の棒部１３２が上下にスライド自在に嵌合されている。ヘッド部１３１の下面側とガイド部１３３Ｆの段部１３４の間には棒部１３２が貫通したドーナツ形の抜け防止部としてのクッション部材１３５が介装されている。このクッション部材１３５の下面が段部１３４の上面に接着されており、上面がヘッド部１３１の下面に接着されている。棒部１３２の先端は浮き袋３６の膜５５を介して密閉栓３８Ｄに対向している。クッション部材１３５により、未使用時に、棒部１３２の先端が密閉栓３８Ｄから所定の一定距離離れた位置に保持される。
その他の構成部分は第２実施例と同様に構成されている。
【００５６】
次に第８実施例の作用を説明する。予め気室２に圧縮空気が充填済であるとして、使用時、押し棒１３０のヘッド部１３１を下方向へ強く押すと、クッション部材１３５が圧縮されながら棒部１３２が下方へ移動し膜５５を介して密閉栓３８Ｄを突く。これにより、密閉栓３８Ｄは溝４１から破断し、吐出流路３１Ｂの閉塞が解除される。吐出流路３１Ｂの閉塞が解除されることにより、気室２の圧縮空気が吐出流路３１Ｂを通って浮き袋３６の内部に入り膨張させる。浮き袋３６の膨張に押されてカバー４２１が開き膨張後の浮き袋３６の浮力により溺れるのを防ぐことができる。
【００５７】
この第８実施例によれば、押し棒１３０のヘッド部１３１に外力を加えると下方に延設された棒部１３２が浮き袋３６の膜５５を介して密閉栓３８Ｄを突くので、押し棒１３０に加えた外力により直接的に密閉栓３８Ｄを破断でき、確実に吐出流路３１Ｂの閉塞を解除することができる。また、取っ手が不要となるとともに、浮き袋３８の膜５５に紐通し用の膜孔が開いておらず強度の確保が容易となるとともに、紐通し部材も不要となる。また、押し棒１３０の備えられたカバー４２０Ｆが本体１に固定されているので、ヘッド部１３１の押し込み中にカバー４２０Ｆが開かず、円滑に押し込み操作を行なうことができる。
なお、密閉栓３８Ｄのリング状の溝４１の内側に図４０に示す如く網目状の溝を追加しても良い。また、円盤状の密閉栓３８Ｄの代わりに図４１に示す如くボタン状の密閉栓を用いることもできる。また、クッション部材１３５をコイルバネに置き換えても良い。
【実施例９】
【００５８】
図４４は本考案の第９実施例に係る水難用救命具の縦断面図であり、図２９
、図３０と同一の構成部分には同一の符号が付してある。
図２９、図３０の例では取っ手に結んだ紐により密閉栓を引っ張り破断する場合を示したが、この第９実施例では、押し棒により密閉栓を押して破断する例を示す。
図４４において、吐出流路３１Ｃの流入口３２Ｃを塞ぐように円盤状の密閉栓３８Ｄが装備されている。外部垂直板１０６Ｇに押し棒１３０が左右方向にスライド自在に装備されている。押し棒１３０はボタン形のヘッド部１３１とヘッド部１３１の背面から図４４の左方へ密閉栓３８Ｄの近くまで延設された円柱状の棒部１３２から成る。外侮垂直板１０６Ｇには円筒状のガイド部１３３Ｇが形成されており、ガイド部１３３Ｇの中に押し棒１３０の棒部１３２が左右にスライド自在に嵌合されている。ヘッド部１３１の背面側と外部垂直板１０６Ｇの間には棒部１３２が貫通した弾性を有するスポンジ状の抜け防止部としてのクッション部材１３５Ｇが介装されている。このクッション部材１３５Ｇの図４４における左側面が外部垂直板１０６Ｇに接着されており、右側面がヘッド部１３１の背面に接着されている。クッション部材１３５Ｇにより、未使用時に、棒部１３２の先端が密閉栓３８Ｄから所定の一定距離離れた位置に保持される。ガイド部１３３Ｇの先端の周囲には吐出流路３１Ｃから棒部１３２を隔離するようにして、プラスチック膜または織布または不織布等で形成されて変形自在に折り曲げられてフレキシブルな密閉膜１４０が接着により取着されて外部から密閉されている。押し棒１３０の棒部１３２の先端は密閉膜１４０を介して密閉栓３８Ｄに対向している。
その他の構成部分は第３実施例と同様に構成されている。
【００５９】
次に第９実施例の作用を説明する。予め気室２Ｃに圧縮空気が充填済であるとして、使用時、押し棒１３０のヘッド部１３１を強く押すと、クッション部材１３５Ｇが圧縮されながら棒部１３２が図４４の左方へ移動し密閉膜１４０を介して密閉栓３８Ｄを突く。これにより、密閉栓３８Ｄは溝４１から破断し、吐出流路３１Ｃの閉塞が解除される。吐出流路３１Ｃの閉塞が解除されることにより、気室２Ｃの圧縮空気が吐出流路３１Ｃを通って浮き袋３６の内部に入り膨張させる（矢印Ｃ参照）。浮き袋３６の膨張に押されてカバー４２Ｃが開き膨張後の浮き袋３６の浮力により溺れるのを防ぐことができる。
【００６０】
この第９実施例によれば、押し棒１３０のヘッド部１３１に外力を加えると棒部１３２が密閉膜１４０を介して密閉栓３８Ｄを突くので、押し棒１３０に加えた外力により直接的に密閉栓３８Ｄを破断でき、確実に吐出流路３１Ｃの閉塞を解除することができる。また、取っ手が不要となるとともに、浮き袋３６の膨脹方向と押し棒１３０を押す方向が異なるので操作がし易い。また、押し棒１３０と密閉栓３８Ｄの間に浮き袋３６の膜５５を介装しないので浮き袋３６の強度の確保が容易となる。
なお、密閉栓３８Ｄを図４０の如く網目状の溝を有するものに代えてもも良い。また、円盤状の密閉栓３８Ｄの代わりに図４１に示す如くボタン状の密閉栓を用いることもできる。また、クッション部材１３５Ｇをコイルバネに置き換えても良い。
【００６１】
上記した各実施例及び変形例では、気室に圧縮空気を貯蔵させるようにしたが、窒素、二酸化炭素、ヘリウムなど他の種類の圧縮ガスを貯蔵させても良い。また、密閉栓に溝を付ける代わりに、全体を膜状にして破壊可能としても良い。
【産業上の利用可能性】
【００６２】
本考案は、屋内・屋外プール、河川、湖、海で泳いだり、船に乗ったりする場合に、予め体に付けておき自力で水難防止する救命具に適用できる。
【符号の説明】
【００６３】
１、１Ｃ  本体
２、２Ｃ  気室
３  圧縮空気注入バルブ
３１、３１Ａ、３１Ｃ、３１Ｅ  吐出流路
３６  浮き袋
３８、３８Ａ、３８Ｄ、３８Ｄ’、３８Ｅ  密閉栓
４２、４２０、４２１、４２Ｃ、４２Ｄ、４２０Ｆ  カバー
５０  取っ手
５４、１２５  紐
５５  膜
５６  膜孔
５７、５７Ａ  紐通し部材
５８、１０９  紐通し孔
６１、６１Ａ、６１Ｂ  封止部材
６６  バックル
６４  紐逃がし開口
６５  止め具
６７  バンド
１００  紐通し開口
１２０、１２０Ａ、１２０Ｂ、１２０Ａ’、１２０Ｂ’  紐取り付け部材
１２３  第１の紐
１２４  第２の紐
１２８  開口
１２９、１４０  密閉膜
１３０  押し棒
１３１  ヘッド部
１３２  棒部
１３３、１３３Ｆ、１３３Ｇ  ガイド部
１３５、１３５Ｇ  クッション部材
【図１】
0003164356.tif 000003
【図２】
0003164356.tif 000004
【図３】
0003164356.tif 000005
【図４】
0003164356.tif 000006
【図５】
0003164356.tif 000007
【図６】
0003164356.tif 000008
【図７】
0003164356.tif 000009
【図８】
0003164356.tif 000010
【図９】
0003164356.tif 000011
【図１０】
0003164356.tif 000012
【図１１】
0003164356.tif 000013
【図１２】
0003164356.tif 000014
【図１３】
0003164356.tif 000015
【図１４】
0003164356.tif 000016
【図１５】
0003164356.tif 000017
【図１６】
0003164356.tif 000018
【図１７】
0003164356.tif 000019
【図１８】
0003164356.tif 000020
【図１９】
0003164356.tif 000021
【図２０】
0003164356.tif 000022
【図２１】
0003164356.tif 000023
【図２２】
0003164356.tif 000024
【図２３】
0003164356.tif 000025
【図２４】
0003164356.tif 000026
【図２５】
0003164356.tif 000027
【図２６】
0003164356.tif 000028
【図２７】
0003164356.tif 000029
【図２８】
0003164356.tif 000030
【図２９】
0003164356.tif 000031
【図３０】
0003164356.tif 000032
【図３１】
0003164356.tif 000033
【図３２】
0003164356.tif 000034
【図３３】
0003164356.tif 000035
【図３４】
0003164356.tif 000036
【図３５】
0003164356.tif 000037
【図３６】
0003164356.tif 000038
【図３７】
0003164356.tif 000039
【図３８】
0003164356.tif 000040
【図３９】
0003164356.tif 000041
【図４０】
0003164356.tif 000042
【図４１】
0003164356.tif 000043
【図４２】
0003164356.tif 000044
【図４３】
0003164356.tif 000045
【図４４】
0003164356.tif 000046
【手続補正書】
【提出日】平成22年9月28日(2010.9.28)
【手続補正１】
【補正対象書類名】実用新案登録請求の範囲
【補正対象項目名】請求項１８
【補正方法】変更
【補正の内容】
【請求項１８】
密閉栓は外力による破壊または移動により閉塞を解除可能としたこと、
を特徴とする請求項１５または１６または１７記載の水難用救命具。